(57)【要約】【課題】  反射拡散性が好ましく、低コストで提供できるようにする。【解決手段】  反射材からなる、左右壁と、下壁と、前記下壁と前記左右壁に接続される上壁と、前記上下左右壁から組み立てられる収納空間とから構成され、前記上壁には、拡散材からなる拡散部を有し、前記上下左右壁は、一体成型であり、また、前記上下左右壁の前記反射材と前記拡散材は、一体成型である光ガイドの反射拡散構造を提供する。【選択図】      図２
0003102332.tif 000002
【実用新案登録請求の範囲】
【請求項１】
反射材からなる左壁と、
前記左壁と対向して、反射材からなる右壁と、
前記左右壁に接続されて、反射材からなる下壁と、
前記下壁と対向して、前記左右壁に接続されて、少なくとも、拡散材からなる調整可能な拡散部を有する上壁と、
前記上下左右壁から組み立てられて、光ガイドと発光素子を収納する収納空間とを有し、
前記上下壁と左右壁は、一体成型で、前記上下壁と左右壁の前記反射材と前記拡散材は、一体成型であることを特徴とする光ガイドの反射拡散構造。
【請求項２】
前記反射材と前記拡散材は、射出成型によって作成されることを特徴とする請求項１に記載の光ガイドの反射拡散構造。
【請求項３】
前記上壁は、反射材からなる、前記拡散部の寸法を調整するための調整可能な反射部を有することを特徴とする請求項１に記載の光ガイドの反射拡散構造。
【請求項４】
前記反射材と前記拡散材は、プラスチック材料からなることを特徴とする請求項１に記載の光ガイドの反射拡散構造。
【請求項５】
前記反射材は、光線透過不能の材料からなることを特徴とする請求項１に記載の光ガイドの反射拡散構造。
【請求項６】
前記拡散材は、透光材料で、ミスト面であることを特徴とする請求項１に記載の光ガイドの反射拡散構造。
【請求項７】
更に、前記右壁や前記左壁と重ね合い、貼り覆うように、反射材からなる、前記上壁や前記下壁と当たり合う重ね合い板を有することを特徴とする請求項１に記載の光ガイドの反射拡散構造。
【請求項８】
更に、完全に前記光ガイドを覆うように、前記上下左右壁の対向する両端に、それぞれに、二つの反射素子が設けられることを特徴とする請求項１に記載の光ガイドの反射拡散構造。
【請求項９】
前記反射素子は、前記下壁から延ばして、上へ折り曲がり、前記上壁に貼りあわせられることを特徴とする請求項8に記載の光ガイドの反射拡散構造。
【考案の詳細な説明】
【技術分野】
【０００１】
本考案は、光ガイドの反射拡散構造に係わり、特に、一体成型である光ガイドの反射拡散構造に関するものである。
【背景技術】
【０００２】
液晶表示器の品質が向上されつつ、値段が下がりつつあるため、液晶表示器の応用領域は、素早くに拡大していて、例えば、電卓、表示器、ナビゲーションシステム、スキャナー、携帯電話パネル、PDA等に応用され、液晶表示器においては、バックライトモジュールは、3〜5％のコストを示すことと、75％以上の電力を消費することで、非常に重要な部品となり、ゆえに、バックライト技術の高性能化、例えば、高均一度、高輝度、低コスト、低電力消費、簡単化、及び軽薄化等は、今において業界にとって、追求すべき方向である。
【０００３】
バックライトモジュールには、主として、光ガイド、発光素子、拡散板、及び反射板等を有し、従来の光ガイドの反射拡散構造は、反射板と拡散板とを、それぞれに、光ガイド上に粘着することによって形成される。図1は、従来の光ガイド１０ａ上に応用された、従来の光ガイドの反射拡散構造であり、それには、従来の光ガイド１０ａと、従来の光板１０ａ上に組み立てられる発光素子１４ａと、従来の光ガイド１０ａ下に設けられる反射板１２ａと、前記従来の光ガイド上に設けられる拡散板１３ａとを有し、組み立て方式としては、先ず、従来の光ガイド１０ａ下、上表面において、四つの縁に、それぞれに、四つの粘着ストリップ１１１ａ、１１２ａを貼り付け、従来の光ガイド１０ａの下表面にある四粘着ストリップ１１１ａに反射板１２ａを貼り合わせ、また、反射板１２ａの四つのフランジングが、それぞれに、従来の光ガイド１０ａの上表面にある四粘着ストリップ１１２ａに貼り合わせられ、反射板１２ａと光ガイド１０ａとが貼り合わせられて固定した後、拡散板１３ａを貼り合わせるために、更に、反射板１２ａの前記四つのフランジング上に四つの粘着ストリップ１１３ａが貼り合わせられ、即ち、この組み立て方式によって、従来の光ガイド１０ａの各縁には、少なくとも3層の前記粘着ストリップ（それぞれが、１１１ａ、１１２ａ及び１１３ａである）が貼り合わせられている。
【０００４】
上記の組み立て方式では、作業が複雑であるだけでなく、粘着ストリップを貼り合わせる回数が多いため、前記従来のバックライトモジュールの厚さが大きくなり、また、前記従来のバックライトモジュールにおいて、有効な認識領域は、貼り覆う前記粘着ストリップ（例えば、１１１ａ、１１２ａ及び１１３ａである）の幅を除外するものであり、認識領域に対する需要が拡大することに従って、対向的に、従来の光ガイド１０ａや反射板１２ａ及び拡散板１３ａの寸法を拡大することになり、また、粘着ストリップ１１３ａの幅が大きければ、滞在する光線も多くなり、前記バックライトモジュールの発光効率に悪影響を与え、輝度の降下を来たし、そのために、上記の組み立て方式は、簡単化や軽薄化の発展傾向と反する。
【考案の開示】
【考案が解決しようとする課題】
【０００５】
本考案の主な目的は、光ガイドと発光素子とを、一体成型することによって、工程の簡単化を達成できる、光ガイドの反射拡散構造を提供する。
【０００６】
本考案の他の目的は、光ガイドと発光素子とを、一体成型することによって、軽薄化を達成できる、光ガイドの反射拡散構造を提供する。
【課題を解決するための手段】
【０００７】
本考案は、上記の目的を達成するために、反射材からなる、左右壁と、下壁と、前記下壁と前記左右壁に接続される上壁と、前記上下左右壁から組み立てられる収納空間と、から構成され、前記上壁には、拡散材からなる拡散部を有し、前記上下左右壁は、一体成型であり、また、前記上下左右壁の前記反射材と前記拡散材は、一体成型であるため、前記光ガイドと前記発光素子との間には、幾層の粘着ストリップを省略でき、直接に前記収納空間内に収納できるので、軽薄化や工程の簡単化を達成できる、光ガイドの反射拡散構造を提供する。
【０００８】
本考案の特徴や技術内容をよく理解するために、次に、添付図面を参照しながら、本考案を詳細に説明するが、それらの図面が、単に、参考や説明のために使われるもので、本考案は、それによって制限されることはない。
【考案を実施するための最良の形態】
【０００９】
図2に示すように、本考案は、光ガイド２０と発光素子２４とに応用される、光ガイドの反射拡散構造を提供し、発光素子２４は、冷陰極蛍光ランプ（CCFL）や図3に示すようなエレクトロルミネッセンス素子（EL）、液晶ディスプレイ（LED）、或いは有機液晶ディスプレイ（OLED）であり、前記光ガイドの反射拡散構造は、反射材からなる、左壁２１４と、右壁２１３と、下壁２１２と、下壁２１２及び左右壁２１４、２１３に接続される上壁２１１と、上下右左壁２１１、２１２、２１３、２１４から組み立てられる収納空間２５と、から構成され、上壁２１１には、少なくとも、拡散材からなる、調整可能な拡散部２２を有し、収納空間２５には、光ガイド２０及び発光素子２４が収納され、上壁２１１は、必要に応じて、更に、拡散部２２の寸法を調整するための、反射材からなる、調整可能な反射部２３を有しても良いが、上壁２１１に対する拡散部２２のレートは、≦100％である。
【００１０】
また、上下右左壁２１１、２１２、２１３、２１４は、一体成型であり、また、上下壁左右壁２１１、２１２、２１３、２１４の前記反射材と前記拡散材とは、一体成型で射出されるものであり、前記反射材と前記拡散材とともにプラスチック材からなるものであり、その中、前記反射材は、不透光材で、前記拡散材は、透光材でミスト面である。
【００１１】
前記光ガイドの反射拡散構造には、更に、上下右左壁２１１、２１２、２１３、２１４の対向する両端に、それぞれに、光ガイド２０を完全に覆うように、二つの反射素子２６を有し、また、図3は、本考案の第2実施例であり、反射素子２６は、下壁２１２から延ばして、上へ折り曲がり、粘着ストリップ２７によって、上壁２１１に貼り合せられ、また、図4は、本考案の第3実施例であり、上下右左壁２１１、２１２、２１３、２１４は、一体成型で板状であり、前記光ガイドの反射拡散構造は、更に、上壁２１１や下壁２１２と当たり合う重ね合い板２１５を有し、重ね合い板２１５は、反射材からなり、前記光ガイドの反射拡散構造においては、折り曲がることにより、収納空間２５を形成し、重ね合い板２１５は、右壁２１３や左壁２１４と重ね合うように、貼り覆い、反射素子２６は、上下右左壁２１１、２１２、２１３、２１４の対向する両端を覆うようになっていて、本実施例においては、重ね合い板２１５を下壁２１２に当たり合い、また、図5は、本考案の第4実施例であり、第3実施例の反射素子２６は、下壁２１２の対向する両端から延ばして、上へ折り曲がり、粘着ストリップ２７によって、上壁２１１に貼り合せられる。
【００１２】
これにより、光ガイド２０と発光素子２４とに、幾層の粘着ストリップ２７を貼り合せることが省略でき、直接収納空間２５内に収納できるので、工程の簡単化という目的を実現し、また、前記バックライトモジュールの厚さを低下し、そして、粘着ストリップ２７の使用量が減少されるため、粘着ストリップ２７を貼り合せることにより、光束が滞在することを防止し、平均的に、1層の粘着ストリップ２７を削減すれば、約3％の輝度を向上するから、更に、輝度を向上する效果が得られる。
【００１３】
以上の説明によると、本考案は、確実に予期の目的や効果を達成でき、また、上記に示される技術手段は、単に、本考案のより良い実施例であり、本考案の精神や特徴に従って、いずれの修正や変更も、本考案の範囲内に含まれるべきである。
【図面の簡単な説明】
【００１４】
【図１】従来の光ガイドの反射拡散構造の組み立て概念図である。
【図２】本考案の光ガイドの反射拡散構造の第1実施例の概念図である。
【図３】本考案の光ガイドの反射拡散構造の第2実施例の概念図である。
【図４】本考案の光ガイドの反射拡散構造の第3実施例の概念図である。
【図５】本考案の光ガイドの反射拡散構造の第4実施例の概念図である。
【符号の説明】
【００１５】
２０    光ガイド
２１１  上壁
２１２  下壁
２１３  右壁
２１４  左壁
２１５  重ね合い板
２２    拡散部
２３    反射部
２４    発光素子
２５    収納空間
２６    反射素子
２７    粘着ストリップ
【図１】
0003102332.tif 000003
【図２】
0003102332.tif 000004
【図３】
0003102332.tif 000005
【図４】
0003102332.tif 000006
【図５】
0003102332.tif 000007